(57)【要約】【課題】揚送通路内に残存する遊技球を返却する機構を設ける必要がない遊技機を提供すること。【解決手段】遊技球を貯留する打球貯留部２０３と、遊技機２の上部側方位置に設けられ、遊技球を遊技盤上２０６に形成された遊技領域２０７内に一定間隔で発射するように制御された発射装置５００と、該発射装置５００が１個の遊技球を発射する毎に前記打球貯留部２０３の遊技球を発射装置５００に揚送する揚送装置４００を備える遊技機２において、前記発射装置５００の発射間隔未満で、前記揚送装置４００に前記打球貯留部２０３からの遊技球を取り込む揚送取込位置４１４から前記発射装置５００に１個の遊技球を揚送させ、前記発射装置５００が前記遊技球を発射するたびに前記揚送取込位置４１４から取り込んだ１個の遊技球を前記発射装置５００に揚送するように前記揚送装置４００を制御する揚送制御手段２９１を備える。【選択図】    図１７
2004255000.tif 000002
【特許請求の範囲】
【請求項１】
遊技に使用するための遊技球を貯留するための打球貯留部と、
遊技機の上部側方位置に設けられ、遊技球を遊技盤上に形成された遊技領域内に一定間隔で発射するように制御された発射装置と、
該発射装置が１個の遊技球を発射するたびに前記打球貯留部の１個の遊技球を発射装置に揚送する揚送装置を備える遊技機において、
前記発射装置の発射間隔未満で、前記揚送装置に前記打球貯留部からの遊技球を取り込む揚送取込位置から、前記発射装置に１個の遊技球を揚送させるとともに、前記発射装置が１個の遊技球を発射するたびに前記揚送取込位置から取り込んだ１個の遊技球を前記発射装置に揚送するように前記揚送装置を制御する揚送制御手段を備えることを特徴とする遊技機。
【請求項２】
前記揚送制御手段は、遊技者が前記発射装置に遊技球の発射指示を行うために操作する発射ハンドルから、該発射ハンドルの操作に基づいて出力される発射指示信号を検出するための発射指示信号検出部を含むとともに、前記揚送装置が遊技球の揚送途中に前記発射指示信号検出部における発射指示信号の検出が無くなったときに、前記揚送途中の遊技球を前記発射装置に揚送した後に揚送を停止する遅延停止制御を行う請求項１に記載の遊技機。
【請求項３】
前記揚送制御手段は、前記揚送装置が前記揚送取込位置から取り込んだ１個の遊技球を前記発射装置までの揚送に要する時間を、前記発射装置における発射間隔の１／２以下とするように制御する請求項１または２に記載の遊技機。
【発明の詳細な説明】
【０００１】
【発明の属する技術の分野】
本発明は、遊技盤の盤面上に形成された遊技領域内に、遊技機の上部側方位置から遊技球を打ち出して遊技を行う遊技機に関する。
【０００２】
【従来の技術】
従来、前記遊技盤の盤面上に形成された遊技領域内に、該遊技盤の上部側方位置から遊技球を打ち出して遊技を行う遊技機としては、遊技盤の上部側方（向かって左側）位置に、発射装置を設け、該発射装置に対して打球供給皿に貯留されている遊技球を、スプロケットにて揚送管内に数珠つなぎ状態に送り出すことで揚送し、供給するものがある。（特許文献１参照）
【０００３】
【特許文献１】
特開昭５８−１６３３８８号公報  （第３頁、第７図）
【０００４】
これら遊技盤の上部側方位置から遊技球を打ち出して遊技を行う遊技機は、発射装置を遊技機の下方位置のハンドル近傍に有するものに比較して、発射レールの設置等の制約を受けることがないため、遊技盤の大きさ、特には縦方向の大きさを大きくでき、近年における遊技盤のほぼ中央部位置に設けられている可変表示装置である液晶パネルの大型化にあって、これら液晶パネルの大型化による遊技盤形成への制約を解消することが可能となることから、その有用性が高まってきている。
【０００５】
【発明が解決しようとする課題】
しかしながら、前記した遊技機の上部側方位置から遊技球を打ち出して遊技を行う遊技機は、遊技者の発射操作に基づき、遊技機の上部側方位置に設けられた発射装置に対し、遊技機の下方位置に設けられた打球貯留部に貯留されている遊技球をスプロケットにて揚送管内に数珠つなぎ状態に送り出すことで揚送し、供給するものであるため、遊技終了時において、これら揚送管内に残留する多数の遊技球を遊技客に返却する複雑な球抜き機構を必要とし、球抜きに手間がかかるといった問題があった。
【０００６】
よって、本発明は上記した問題点に着目してなされたもので、発射装置に遊技球を揚送する前記揚送管等の揚送通路内に残存する多数の遊技球を遊技客に返却する複雑な機構を別途に設ける必要のない遊技機を提供することを目的としている。
【０００７】
【課題を解決するための手段】
前記した問題を解決するために、本発明の遊技機は、遊技に使用するための遊技球を貯留するための打球貯留部と、
遊技機の上部側方位置に設けられ、遊技球を遊技盤上に形成された遊技領域内に一定間隔で発射するように制御された発射装置と、
該発射装置が１個の遊技球を発射するたびに前記打球貯留部の１個の遊技球を発射装置に揚送する揚送装置を備える遊技機において、
前記発射装置の発射間隔未満で、前記揚送装置に前記打球貯留部からの遊技球を取り込む揚送取込位置から、前記発射装置に１個の遊技球を揚送させるとともに、前記発射装置が１個の遊技球を発射するたびに前記揚送取込位置から取り込んだ１個の遊技球を前記発射装置に揚送するように前記揚送装置を制御する揚送制御手段を備えることを特徴としている。
この特徴によれば、発射装置が１個の遊技球を発射した後、次の遊技球を発射するまでの発射間隔時間内において、前記揚送装置が揚送取込位置から発射装置まで１個の遊技球の揚送できるようになるとともに、発射装置が遊技球を発射するたびに、揚送装置が揚送する遊技球の数を１個となるように制御する前記揚送制御手段を備えることで、揚送装置内には遊技球が残存することがないか、或いは残存しても１遊技球のみに留めることができるようになるため、従来の様に多数の遊技球を遊技客に返却する複雑な球抜き機構を設ける必要がなく、仮に揚送装置内の球抜きを行う必要のある場合には、最大１個の遊技球の球抜きを行えば良いので球抜きの手間を最小限に抑えることができる。
【０００８】
本発明の遊技機の前記揚送制御手段は、遊技者が前記発射装置に遊技球の発射指示を行うために操作する発射ハンドルから、該発射ハンドルの操作に基づいて出力される発射指示信号を検出するための発射指示信号検出部を含むとともに、前記揚送装置が遊技球の揚送途中に前記発射指示信号検出部における発射指示信号の検出が無くなったときに、前記揚送途中の遊技球を前記発射装置に揚送した後に揚送を停止する遅延停止制御を行うことが好ましい。
このようにすれば、前記揚送装置内には球が残らないので、該揚送装置内の球抜き機構は必要とせず、低コストとなる。
【０００９】
本発明の遊技機の前記揚送制御手段は、前記揚送装置が前記揚送取込位置から取り込んだ１個の遊技球を前記発射装置までの揚送に要する時間を、前記発射装置における発射間隔の１／２以下とするように制御することが好ましい。
このようにすれば、揚送された遊技球が発射されるまでの時間として、発射間隔時間の１／２に近い時間、或いはそれよりも長い時間を確保できるようになることから、揚送された遊技球の揚送による揺れ等の微動が沈静化した状態にて発射できるようになり、安定した発射状態を得ることができる。
【００１０】
【発明の実施形態】
以下、図面に基づいて本発明の実施形態を説明する。
（実施例）
本実施例の弾球遊技機であるパチンコ機２は、該パチンコ機２の側部位置に１対１にて配置される遊技用装置であるカードユニット３とともに、図示しない遊技島の前後面に複数並設されて使用される。
【００１１】
これらパチンコ機２並びにカードユニット３が並設される遊技島の内部には、前記各パチンコ機２にパチンコ球を供給する供給樋や、前記各パチンコ機２にて使用され、排出されたパチンコ球を集めて前記供給樋に揚送する揚送装置等（図示略）が設けられているとともに、高さ方向略中央部には前記各カードユニット３より排出された紙幣を所定方向島端に設けられた回収ボックス（図示略）に搬送可能な紙幣搬送路（図示略）や、同様に前記各カードユニット３より排出された硬貨及びプリペイドカードを前記所定方向島端の回収ボックスに混合搬送可能な混合搬送路（図示略）等が設けられている。
【００１２】
本実施例の弾球遊技機であるパチンコ機２を主に図１〜図４及び図１２に基づいて説明すると、該パチンコ機２は、遊技機枠としての前面扉枠２００（図２参照）と、該前面扉枠２００の前面側に開閉自在に枢支され、中央にガラス板が設けられたガラス扉枠２０２と、前面扉枠２００を開閉自在に枢支する四角枠状に形成された基枠（図示略）と、からなる。
【００１３】
ガラス扉枠２０２の下部前面には、貸し出された球並びに払い出された賞球を貯留するための打球貯留部としての打球供給皿２０３が一体に設けられており、該打球供給皿２０３の上面所定箇所には操作部１４が設けられている。前面扉枠２０２の前面における打球供給皿２０３の下方には、打球供給皿２０３から溢れた賞球を貯留する余剰球受皿２０４と、打球を発射する打球操作ハンドル（以下、操作ノブという）２０５、とが設けられている。なお、図１中の２４１は、前記打球供給皿２０３を含むガラス扉枠２０２を開放操作するためのシリンダ錠である。
【００１４】
操作部１４には、遊技者により前記カードユニット３に設けられたカード挿入口３１４に挿入された遊技用記録媒体であるプリペイドカードより読み出された遊技用価値である度数を表示する度数表示部（図示略）と、遊技の開始または前記打球供給皿２０３に持球が少なくなったまたは無くなった際に押圧操作されて、前記度数表示部に残度数が存在する場合に所定数量のパチンコ球の貸出を実施するための貸出ボタン（図示略）と、遊技を終了する際に押圧操作されることにより、前記カードユニット３に挿入されているプリペイドカードに新たな残度数が記録されて返却がなされる返却ボタン（図示略）と、が設けられている。
【００１５】
前面扉枠２００には、図２及び図１２に示すように、略中央部に形成された開口２００ｃ内に遊技盤２０６が着脱自在に取付けられている。また、前面扉枠２００の前面２００ａにおける遊技盤２０６に向かって左側方上部位置には、該遊技盤２０６の前面２０６ａに形成される遊技領域２０７に向けてパチンコ球を発射するための発射装置５００が取付けられているとともに、前面扉枠２００の後面側における発射装置５００の下方には、打球供給皿２０３に貯留されたパチンコ球を揚送して発射装置５００にパチンコ球を供給するための揚送ユニット４００（揚送装置）が取付けられている。
【００１６】
ガラス扉枠２０２における打球供給皿２０３の下部には、該打球供給皿２０３に貯留されているパチンコ球を整列して、後述する揚送ユニット４００の下部ユニット４０１に繋がるクランク流路４１６並びに連結流路４１５に供給するように設けられた誘導傾斜樋２８３が設けられている。すなわち、これら誘導傾斜樋２８３、クランク流路４１６、連結流路４１５により、打球供給皿２０３に貯留されたパチンコ球を揚送ユニット４００に導くための揚送球誘導通路が構成されている。なお、これら各通路の下面は揚送ユニット４００側に向けて徐々に下方に傾斜する傾斜面とされており、誘導傾斜樋流入口２３０から流入したパチンコ球は通路内を自然流下するようになっている。
【００１７】
打球供給皿２０３に貯留されているパチンコ球は、誘導傾斜樋流入口２３０から流出して誘導傾斜樋２８３を流下し、クランク流路４１６並びに連結流路４１５を通過して、前記揚送ユニット４００の下部に設けられている後述する下部ユニット４０１に供給され、該揚送ユニット４００にて発射装置５００に揚送、供給されて、発射装置５００により遊技盤２０６の前面２０６ａに形成された遊技領域２０７に打ち出されるようになっている。また、本実施例では、ガラス扉枠２０２の開放により、クランク流路４１６と連結流路４１５との間にて流路が分離されるようになっている。
【００１８】
図３に示されるように、前記揚送ユニット４００の側方位置には、前記発射装置５００にて打ち出されたが、発射勢いが弱いために前記遊技領域２０７に到達しなかったファール球を流下させるためのファール球流路２９５が設けられている。該ファール球流路２９５の下端部には、前面扉枠２００の後面側に配設される機構板（図示略）に形成される賞球通路（図示略）に繋がるファール球流出口２８８が設けられており、前記ファール球は、該ファール球流路２９５、ファール球流出口２８８、前記賞球通路を通じて打球供給皿２０３或いは余剰球受皿２０４に返却されるようになっている。
【００１９】
図５、図６及び図８に示されるように、揚送ユニット４００内に形成される揚送路内にパチンコ球を供給する揚送球供給手段となる下部ユニット４０１の直近位置である前記連結流路４１５の上流位置、つまりは、ガラス扉枠２０２の開放により分離されて離脱する部分には、クランク流路４１６、誘導傾斜樋２８３並びに前記打球供給皿２０３に停留するパチンコ球（待機球）を余剰球受皿２０４に流下させるための待機球返却部４２０が設けられており、図１に示すように、該待機球返却部４２０に対応する位置となる打球供給皿２０３の下方左部位置に設けられた返却操作ボタン２９６を押圧操作することで、パチンコ球の返却（抜き取り）が実施される。
【００２０】
本実施例に用いた待機球返却部４２０の構成を詳しく説明すると、図６並びに図８に示すように、待機球返却部４２０の下部には、待機球返却通路２４２（図２参照）にパチンコ球を流入させるための開口４２１が形成されており、前記誘導傾斜樋２８３の終端に形成されたクランク流路４１６の流路下面にスライド自在に配置されたスライド板４２３が、前記操作ボタン２９６の押圧操作により前後方向に移動する連結棒４２４に固定されていて、該連結棒４２４の移動に伴ってスライド板４２３が前後方向にスライドするとともに、前記連結棒４２４にはスプリング４２２が前記連結棒４２４をパチンコ機２の前方、つまりはスライド板４２３が開口４２１を塞ぐ方向に付勢するように設けられている。
【００２１】
通常にあっては、図８（ｂ）に示すように、前記スプリング４２２にてスライド板４２３が前方方向へ付勢されることにより、前記スライド板４２３が開口４２１を塞ぐことで、スライド板４２３上をパチンコ球が通過して、連結流路４１５を通じて揚送ユニット４００にパチンコ球が供給される一方、前記操作ボタン２９６の操作時にあっては、図８（ａ）に示すように、該操作ボタン２９６の押圧操作により、スプリング４２２の付勢に抗してスライド板４２３が内方へスライドし、前記開口４２１がクランク流路４１６の底面に露出することで、パチンコ球が待機球返却通路２４２内に流入して、余剰球受皿２０４にパチンコ球（待機球）が返却されるようになっている。
【００２２】
また、本実施例では、前記待機球返却部４２０に隣接してストッパー部４２９を設けており、ガラス扉枠２０２が開放された場合に、該ストッパー部４２９にてクランク流路４１６の下流端開口よりパチンコ球が溢流することが防止されるようになっている。
【００２３】
さらに、前記連結棒４２４の所定箇所からは、後述する揚送球返却部４５０の下部に形成される開口部４５１を開閉するスライド板４５２が先端に固着された連結棒４２４ａが連設されている。このスライド板４５２には前記開口部４５１とほぼ同形をなす球抜き開口部４５３が一端部側に形成されており、連結棒４２４のスライド移動に連動して、スライド板４５２が開口部４５１を閉塞する閉塞位置と、球抜き開口部４５３が開口部４５１に合致してパチンコ球を落下可能とする開放位置と、の間でスライド移動するようになっている。
【００２４】
次に、本実施例に用いた揚送ユニット４００の詳細を、主に図３〜図７に基づいて説明すると、揚送装置としての揚送ユニット４００は、特に図５に示されるように、パチンコ球を１つ１つ分離した状態で揚送するための揚送スクリュー４０３、及び該揚送スクリュー４０３が内部に収容される揚送路ケース４０２から成る揚送経路ユニット４０６と、該揚送経路ユニット４０６の下方に設けられ、前記揚送スクリュー４０３を駆動する揚送モータ４１０や、前記揚送路内にパチンコ球を１個ずつ供給する揚送球供給装置を構成する球供給スプロケット４１３や、該球供給スプロケット４１３にパチンコ球を誘導する連結流路４１５を有する下部ユニット４０１と、から構成されている。
【００２５】
下部ユニット４０１は、図４に示すように、前面扉枠２００の後面２００ｂにおける下部所定箇所から後向きに突出形成された揚送ユニット取付台１１１の上面に、蝶ネジ１００を介して固着されるベース板４０１’と、このベース板４０１’の上面に設けられるカバー体４５０と、から外形が主に構成される。ベース板４０１’の下面には、揚送スクリュー４０３及び球供給スプロケット４１３を駆動する揚送モータ４１０が取り付けられる。
【００２６】
カバー体４５０の上面には、揚送路ケース４０２の下端部が嵌合される嵌合部４５１が形成されているとともに、その嵌合部４５１の内部には、嵌合された揚送路ケース４０２の下端開口が連通する開口が形成されている。また、カバー体４５０の内部には、前記誘導傾斜樋２８３、クランク流路４１６並びに連結流路４１５を流下してきたパチンコ球を前記揚送路内部に供給するための円盤状の球供給スプロケット４１３が、前記揚送スクリュー４０３を駆動する揚送モータ４１０にて駆動される駆動ギア４１１と噛合する受動ギア４１２と同軸に軸支されて設けられており、該球供給スプロケット４１３の外周には、１つのパチンコ球を収容するための略半円形状の球収容部４１４（図５参照）が設けられている。
【００２７】
また、この球供給スプロケット４１３に供給される球圧並びに前記待機球返却部４２０に供給される球圧を緩和することを目的として、本実施例では、前記誘導傾斜樋２８３におけるパチンコ球の流下方向と異なる方向にパチンコ球を誘導することにより球圧を緩和するクランク流路４１６が設けられているとともに、該クランク流路４１６の下流位置に前記待機球返却部４２０（開口４１２）が設けられていて、球圧緩和後のパチンコ球が待機球返却部４２０に供給されることで、パチンコ球が良好に待機球返却部４２０の下方へ流下するように工夫されている。
【００２８】
また、このクランク流路４１６にて球圧が緩和されたパチンコ球は、カバー体４５０の一部により上面視略逆Ｓ字状に屈曲するように形成された連結流路４１５において更に球圧が緩和された後、下部ユニット４０１内を回るように球供給スプロケット４１３に供給される。
【００２９】
なお、クランク流路４１６は、図８に示されるように、揚送路ケース４０２が遊技盤２０６の後面２０６ｂ側に配置されるように、遊技盤２０６の前面２０６ａ側から後面２０６ｂ側まで延設されている。
【００３０】
これら球供給スプロケット４１３に供給されたパチンコ球は、図７（ａ）に示すように、前記球供給スプロケット４１３の回動により、前記球収容部４１４がパチンコ球の流入口方向に向くことで、該球収容部４１４内部にパチンコ球が取り込まれる。次いで、図７（ｂ）に示すように、球収容部４１４内部に取り込まれた１個のパチンコ球が、球供給スプロケット４１３の回動に伴って回転方向に移動し、図７（ｃ）に示すように、球供給スプロケット４１３が９０度回転した位置にてパチンコ球が揚送路を構成する球通路部４０４内に供給される。
【００３１】
この球供給スプロケット４１３によるパチンコ球の供給に際して、パチンコ球と揚送スクリュー４０３の螺旋状凸部とが衝突しないように、受動ギア４１２と駆動ギア４１１とにより、球供給スプロケット４１３と揚送スクリュー４０３とが同期されているとともに、パチンコ球が球通路部４０４内に供給されるとほぼ同時に、揚送スクリュー４０３の螺旋状凸部の下端部と供給されたパチンコ球とが摺接するように同期されることで、前記球収容部４１４内からパチンコ球が上方へ、後続のパチンコ球と当接することなく互いに分離された状態で揚送されるようになっていて、供給された球を迅速に揚送へ移行できるようになっている。
【００３２】
また、図８に示すように、この受動ギア４１２と駆動ギア４１１とは、そのギア比が、駆動ギア４１１と同軸にて回転される前記揚送スクリュー４０３により、揚送球が発射装置５００に揚送されるようになる回転回数である約５．５回転（後述において詳述）の倍の１１回転にて受動ギア４１２が１周するようなギア比とされていて、パチンコ球が揚送ユニット４００から発射装置５００の発射位置に供給されて該供給されたパチンコ球が発射される毎に、１つのパチンコ球が揚送スクリュー４０３に対して供給されるようになっており、揚送ユニット４００の揚送路内には最大で１つのパチンコ球しか存在しないようになっており、これら受動ギア４１２と駆動ギア４１１とを駆動する揚送モータ４１０の動作が発射揚送制御基板２９１（図１５、図１６参照）にて制御されることで、前記発射装置５００からの１つのパチンコ球の発射に連動して揚送ユニット４００による１つのパチンコ球の揚送、供給が実施されるようになっている。
【００３３】
このように、打球貯留皿２０３に貯留されているパチンコ球を揚送ユニット４００に１個ずつ分離して供給する揚送球供給装置を構成する球供給スプロケット４１３は、揚送スクリュー４０３を回転させるための揚送モータ４１０の駆動により回転する駆動ギア４１１に噛合する受動ギア４１２とともに回転するように設けられており、この受動ギア４１２と駆動ギア４１１とのギア比が、揚送スクリュー４０３により揚送球が発射装置５００に揚送されるようになる回転回数である約５．５回転の倍の１１回転にて受動ギア４１２が１周するように構成されている。
【００３４】
すなわち、揚送モータ４１０の駆動が停止したときおいて、揚送球供給装置の外形を構成するカバー体４５０の内部に同時に存在するパチンコ球が１個以下となるように球供給スプロケット４１３が構成されているため、例えば揚送モータ４１０の駆動が何らかの要因により故障したり、カバー体４５０内を清掃するため等、メンテナンスが必要になって揚送モータ４１０の駆動を停止した場合等において、カバー体４５０内に多数のパチンコ球が残存することがなく、よってこれら残存するパチンコ球の抜き取り作業が容易となることから、メンテナンス時における作業性を効果的に向上できるようになっている。
【００３５】
なお、本実施例における揚送球供給装置の球供給スプロケット４１３は、揚送モータ４１０の駆動を停止した場合等において、カバー体４５０に多数のパチンコ球が残存しないようにするために、球供給スプロケット４１３の周面に１個の球収容部４１４のみが形成されているが、連結流路４１５内の後続のパチンコ球から１個ずつ分離して揚送スクリュー４０３に供給できるように構成されていれば、球供給スプロケット４１３に複数の球収容部４１４が形成されていてもよい。
【００３６】
また、図９に示されるように、連結通路４１５における球供給スプロケット４１３の近傍位置下面には、前述した揚送球返却部４５０が設けられている。この揚送球返却部４５０の下面（ベース板４０１’）には前記開口部４５１（流入部）が形成されており、該開口部４５１の下面からは、下流端部が待機球返却通路２４２に連通する揚送球返却通路４５４が連設されている。
【００３７】
操作ボタン２９６の押圧操作によりスライド板４５２が後方の開放位置まで移動して開口部４５１に球抜き開口部４５３が合致すると、連結通路４１５と揚送球返却通路４５４とが連通し、連結通路４１５内のパチンコ球が揚送球返却通路４５４内に落下することになる。揚送球返却通路４５４内に流入したパチンコ球は、待機球返却通路２４２内に流入して余剰球受皿２０４に返却されることになる。
【００３８】
なお、開口部４５１は、特に図９中Ｄ−Ｄ断面図に示されるように、その一端部が球供給スプロケット４１３側に近接するように形成されているため、開口部４５１と球抜き開口部４５３とが合致して連結通路４１５と揚送球返却通路４５４とが連通されると、球収容部４１４内に若干収容されたパチンコ球（Ｐ１）でも揚送球返却通路４５４内に落下するようになっている。
【００３９】
また、前述したように連結流路４１５の底面は揚送ユニット４００に向けて下方に傾斜しているため、開口部４５１と球抜き開口部４５３とが合致して連結通路４１５と揚送球返却通路４５４とが連通されると、開口部４５１の上方に位置していたパチンコ球はもちろん、開口部４５１の下流側近傍にあるパチンコ球も流下して落下することになる。なお、開口部４５１及び球抜き開口部４５３は２個のパチンコ球を同時に落下可能な横長形状に形成されているため、落下時における球詰まりが防止される。
【００４０】
さらに、特に詳細な図示はしないが、連結通路４１５の底板上面には、スライド板４５２の厚み分の深さを有する凹溝が凹設され、この凹溝内にスライド板４１５が摺動自在に設けられるとともに、この凹溝内に開口部４５１が形成されているため、開口部４５１の閉塞時において連結通路４１５の下面に段部等が形成されることがないので、パチンコ球の流下に支障をきたすことがない。
【００４１】
次に、揚送経路ユニット４０６に関して説明すると、図３及び図４に示すように、揚送路ケース４０２は、上下端が開口する筒状に形成されているとともに、供給されたパチンコ球が揚送される球通路部４０４と、前記揚送スクリュー４０３が挿通配置されるスクリュー収容部４０５とが内部に形成されており、揚送スクリュー４０３の螺旋状凸部の外周４０３ａが前記球通路部４０４に露出して揚送されるパチンコ球と摺接するように軸支されており、揚送スクリュー４０３の回転に伴ってパチンコ球が球通路部４０４の内部を上方へと揚送されていく。
【００４２】
揚送路ケース４０２の上端部には、図４に示されるように、揚送スクリュー４０３の軸部４０３ｂの上端を回動自在に枢支するための蓋部材４３４が取り付けられている。詳しくは蓋部材４３４は、揚送路ケース４０２の上端縁部に形成されたフランジ部４０２ａに螺入される複数本のネジ４３６介して揚送路ケース４０２の上端部に取り付けられているとともに、その下面略中央部には、内面に雌ねじ部が形成された筒状の軸支部４３９が下方に向けて形成されており、この軸支部４３９内には、揚送スクリュー４０３の軸部４０３ｂの上端に固着されたベアリング（図示略）が圧入されており、揚送スクリュー４０３の軸部４０３ｂの上端が蓋部材４３４により回動自在に支持されるようになっている。
【００４３】
すなわち、揚送路ケース４０２と揚送スクリュー４０３とは蓋部材４３４を介して一体化されており、これら一体化された揚送路ケース４０２及び揚送スクリュー４０３により揚送経路ユニット４０６が構成されている。
【００４４】
図３及び図４に示されるように、揚送路ケース４０２における球通路部４０４の前面側上部所定箇所には、揚送スクリュー４０３により上方に揚送されたパチンコ球を揚送ケース４０２外部に流出させるための流出口１０１が形成されているとともに、この流出口１０１からは、前方に配置される発射装置５００にパチンコ球を誘導するための発射球誘導路１０２を構成する発射球誘導路部材１０２’が延設されている。前面扉枠２００には、発射装置５００の外装ケース５１０の後板に形成された発射球流入口１０３に対応する箇所に連通口１０４が形成されており、発射球誘導路部材１０２’は、前記連通口１０４に向かって下方に傾斜するスロープ状に形成されているとともに、その下流側端部（先端部）に外向きに形成された取付片１０５が蝶ネジ１０６により前面扉枠２００に止着されており、発射球誘導路１０２の下流側端部が連通口１０４に連通されている。このように、揚送ケース４０２の上部まで揚送されたパチンコ球は、流出口１０１から流出した後、発射球誘導路１０２内を自然流下して、連通口１０４及び発射球流入口１０３を通過して発射装置５００内に１個ずつ供給されるようになっている。
【００４５】
揚送ユニット４００は、その上部に設けられた発射球誘導路部材１０２’の取付片１０５と、下部に設けられたベース板４０１’とが、蝶ネジ１０６、１００により前面扉枠２００の所定箇所に止着されることにより前面扉枠２００に取り付けられている。
【００４６】
なお、これら蝶ネジ１０６、１００を取り外すことで、揚送ユニット４００を前面扉枠２００から分離することが出来るとともに、揚送ユニット４００は、揚送経路ユニット４０６と下部ユニット４０１とが互いに分離自在に構成されているため、例えば揚送路ケース４０２内が汚れてメンテナンスが必要になったり、揚送モータ４１０が故障して交換する必要が生じた場合において、前面扉枠２００から容易に離脱してパチンコ機２から取り外した状態でメンテナンス等の作業を行うことが出来るため、遊技中に何らかのトラブルが発生しても、遊技客に迷惑をかけることなく対応することが出来る。
【００４７】
揚送ケース４０２の内側方には、前述したファール球流路２９５を構成するファール球流路部材２９５’が設けられている。ファール球流路部材２９５’は、図３及び図５に示されるように、発射装置５００の外装ケース５１０における底板所定箇所に形成されたファール球流出口１０７の下端から下方に向けて延設されているとともに、その途中には後方に向けて屈曲する第１クランク部１０８ａが形成されており、前面扉枠２００に形成された貫通口１０９を通して流路が前面扉枠２００の前面２００ａ側から後面２００ｂ側に向けて延設されており、さらに前面扉枠２００に取り付けられる遊技盤２０６の後面２０６ａよりも後方位置には、下方に向けて屈曲する第２クランク部１０８ｂが形成されており、該第２クランク部１０８ｂから下方に向けて、前面扉枠２００の後面２００ｂ側に配置される後部ファール球流路２９５ａが下方に向けて延設されている。
【００４８】
なお、第１クランク部１０８ａにおける角部には傾斜リブ１１３が設けられており、この傾斜リブ１１３によりパチンコ球を第１クランク部１０８ａに滞留させずにスムーズに流下させるようになっている。
【００４９】
このように、発射装置５００から打ち出されたが、遊技領域２０７に到達しなかったパチンコ球は、外装ケース５１０の底板に形成されたファール球流出口１０７からファール球流路２９５内に流出して流下してファール球として回収された後、その下端部に形成されたファール球流出口２８８から前記賞球通路を通じて打球供給皿２０３或いは余剰球受皿２０４に返却される。
【００５０】
なお、前記揚送路ケース４０２は、透明な樹脂製（アクリル樹脂）にて構成されており、このように透明な樹脂を用いることは、球通路部４０４内部並びにスクリュー収容部４０５の内部の状態を、装置を分解することなく目視にて容易に確認できることから好ましいが、本発明はこれに限定されるものではなく、これら揚送路ケース４０２を不透明な樹脂や金属等にて形成しても良い。
【００５１】
本実施例に用いた前記揚送スクリュー４０３の前記螺旋状凸部の外周４０３ａは、低摩擦であって帯電防止能に優れる導電材である導電性ポリプロピレン樹脂にて形成されており、このように前記外周４０３ａを導電材或いは帯電防止能を有する帯電防止材にて形成することは、前記パチンコ球の揚送において、パチンコ球と揚送スクリュー４０３とが摺動することにより静電気が発生することを防止するとともに、揚送スクリュー４０３を適宜にアースしておくことで、既にパチンコ球が帯電している場合にあっても、該パチンコ球の帯電を除去できるようになることから好ましいが、本発明はこれに限定されるものではなく、これら揚送スクリュー４０３をより導電性の優れる金属にて形成したり、或いは帯電防止能を有しない通常の樹脂にて形成するようにしても良い。
【００５２】
また、本実施例では、前述のように、揚送スクリュー４０３並びに球供給スプロケット４１３の双方を同一の駆動源である揚送モータ４１０にて駆動するようにしており、このようにすることは、個別に駆動モータを設けるのに比較して動力源の数を低減できるため、コストを抑えることができるとともに、前記揚送スクリュー４０３と球供給スプロケット４１３の同期（連動）を、前述のようにギア比等にて機械的に設定することで、容易且つ確実に制御できることから好ましいが、本発明はこれに限定されるものではなく、個々の動力源を個別の駆動モータとして制御するようにしても良い。
【００５３】
また、本実施例では、球通路部４０４がパチンコ機２の前側を向くように揚送ユニット４００が取り付けられているが、本発明はこれに限定されるものではなく、例えば揚送ユニット４００が、前記球通路部４０４がパチンコ機２の後側を向くように取り付けられていてもよい。
【００５４】
これら揚送スクリュー４０３の前記螺旋状凸部の角度や揚送スクリュー４０３の回転数、並びに球負荷や回転に必要なトルクに関しては、図１３に示す関係式により近似できることから、これらの関係式に所定のパラメータを代入することで、例えば揚送時間を０．３秒とした場合の、前記螺旋状凸部の各種角度に対応する揚送スクリュー４０３の回転数、並びに球負荷や回転に必要なトルクの関係が図１４（ｂ）に示すように求めることができる。
【００５５】
具体的には、本実施例における揚送ユニット４００にあっては、揚送路ケース４０２の下部において球供給スプロケット４１３により供給されるパチンコ球を、揚送路ケース４０２の上部に形成された前記発射装置５００の発射装置まで揚送させる揚送距離は約４２０ｍｍ、揚送時間を０．３秒とすると、図１３に示されるように、螺旋状凸部のリード角βが６０度である場合に、該揚送スクリュー４０３におけるリード（１回転で上昇する距離）Ｌは７６．１８ｍｍとなり、１個のパチンコ球を揚送時間０．３秒で揚送距離４２０ｍｍ揚送させるために必要な揚送スクリュー４０３の回転数は、４２０÷７６．１８＝５．５１回転（０．３秒＝１１０２ｒｐｍ）となる。
【００５６】
尚、図１３中において、Ｆは球負荷、Ｗは球荷重（５．４５ｇ）、βはリード角（６０度）、Ｔはモータトルク、ｒは荷重物（球）までの半径（０．７ｃｍ）、Ｌはリード（７６．１８ｍｍ）であり、μは摩擦係数を示し、本実施例であは便宜的に摺接速度に依存せず全てのリード角において０．１とした。リード角β、リードＬ、巻き線長さｌの関係は、ｔａｎβ＝Ｌ÷ｌ、巻き線長さｌ＝７６．１８÷ｔａｎ６０度＝４３．９８ｍｍの式（式１）にて算出される。また、球負荷Ｆは、Ｆ＝（μｃｏｓβ＋ｓｉｎβ）／（ｃｏｓβ−μｓｉｎβ）の式（式２）により算出され、モータトルクＴは、Ｔ＝ｒ×Ｆの式（式３）にて算出される。
【００５７】
このようにして算出された図１４（ｂ）に示す各種パラメータからも判るように、リード角βの角度が大きくなるにしたがって、揚送スクリュー４０３の回転数（ｒｐｍ）が少なくなり、少ない回転で揚送できるが、リード角βの角度が８０度よりも大きい場合には、揚送に伴う球負荷（Ｆ）とトルクＴが極端に大きくなるので、揚送スクリュー４０３を回動駆動させる駆動モータ４１０の回転にムラ等が生じ易く、連動に支障をきたす恐れがある一方、リード角βの角度が小さくなるにしたがって、揚送に伴う球負荷（Ｆ）とトルクＴが低減することで、回転精度を向上できるものの、例えば、リード角βの角度が３６度未満の場合には揚送スクリュー４０３の外周部４０３ａのピッチ（外周部４０３ａの上下の間）がかなり短くなることから、揚送に必要とされる駆動モータ４１０の回転数（ｒｐｍ）が大きくなり、駆動モータ４１０の発熱等により寿命が低下する恐れがあることから、好ましくはリード角βの角度を３６〜８０度の範囲（モータ回転数としては３３０〜２６００ｒｐｍの範囲）とすることが良く、この範囲内において、揚送距離や使用するモータの能力等に基づいて、適宜にリード角βの角度を決定すれば良く、本実施例では６０度としている。
【００５８】
尚、本実施例では、後述するように揚送時間を発射装置５００における発射時間間隔である０．６秒の半分である０．３秒とした計算例を示したが、前記図１３に示す式を用いることで、揚送時間をより長くした０．４秒とした場合の各種リード角βにおける各パラメータとの関係は図１４（ａ）に示すようになり、同様に、揚送時間をより短い時間である０．２秒とした場合の各種リード角βにおける各パラメータとの関係は図１４（ｃ）に示すようになる。
【００５９】
次いで、本実施例に用いた発射装置５００の内部構成について、図１０及び図１１を用いて説明すると、発射装置５００の外装ケース５１０内部には、共通の揺動軸５１３に揺動自在に軸支された球リフトアーム５０２と発射アーム５０３が設けられている。
【００６０】
これら球リフトアーム５０２と発射アーム５０３の一方端は、発射装置５００の上部裏面側に固設されたカム駆動モータ５１１にて回転駆動されるカム軸５０１’に同軸に固設されたリフト用カム５０１ａ並びに発射用カム５０１ｂに摺接することで、該リフト用カム５０１ａ並びに発射用カム５０１ｂの回動に伴って球リフトアーム５０２と発射アーム５０３とが個別の揺動動作を為すようになっているとともに、発射アーム５０３は、発射装置５００の下方に、前記リフトアーム５０２と発射アーム５０３の揺動円弧に外接するように傾斜配置された発射レール５０８にほぼ並行となるように張架された発射用スプリング５０４にて付勢されており、また、球リフトアーム５０２は、前記発射用スプリング５０４とほぼ直交するように張架されたリフト用スプリング５０６にて付勢されている。
【００６１】
また、発射用スプリング５０４の発射アーム５０３との連結側ではない他方端は、発射用スプリング５０４の張架方向にスライド可能とされたスライド片５０５に連結されていて、該スライド片５０５が、発射装置５００の裏面側に固設された発射強度調整モータ５１２によりスライドすることで、発射アーム５０３の付勢力が調節され、該発射アーム５０３にて打ち出されるパチンコ球の発射強度を調節できるようになっており、これら発射強度の調節は、後述において詳述するが、前記打球操作ハンドル２０５の操作に基づいて、前記発射揚送制御基板２９１の発射強度制御手段２９４によって、前記発射強度調整モータ５１２の動作が制御されることで実施される（図１６参照）。
【００６２】
また、前記発射レール５０８の傾斜下方端位置には、前記ファール球流路２９５に連通するファール球流出口１０７の開閉を、前記球リフトアーム５０２の下端と摺接することによって該球リフトアーム５０２の揺動に伴って実施するファール球通路弁５０７が設けられており、該ファール球通路弁５０７は図示しないスプリングにより、前記ファール球流出口１０７を塞がない開状態となるように常時付勢されている。
【００６３】
この発射装置５００の発射動作は、まず図１０（ａ）に示すように、前記カム５０１の回動によって、前記球リフトアーム５０２と発射アーム５０３の双方が、前記リフト用スプリング５０６並びに発射用スプリング５０４の付勢力に抗して、発射装置５００の下方隅部の位置まで揺動されるとともに、この状態において、前記揚送ユニット４００の駆動モータ４１０が駆動されて、揚送されたパチンコ球が前記発射球誘導路１０２内を流下して、発射球流入口１０３から発射装置５００に供給される。
【００６４】
該発射装置５００に供給されたパチンコ球は、図１０（ｂ）に示すように、前記リフト用カム５０１ａの回動によって、まず球リフトアーム５０２のみが揺動を開始することで、発射平面となる前記発射アーム５０３の揺動平面と同一平面上を、該球リフトアーム５０２によって前記発射レール５０８上の所定の発射位置へ誘導される。この誘導に際して前記ファール球通路弁５０７は、球リフトアーム５０２の揺動に伴って該球リフトアーム５０２の下端と摺接することにより、前記ファール球流出口１０７が閉じた状態となる。
【００６５】
尚、前記球リフトアーム５０２の揺動外周端部には、発射アーム５０３の先端に設けられた打ち出しスプリングが挿通可能な円形窓が形成されていて、前記円形窓内に前記発射位置へ誘導されたパチンコ球が保持されるようになっており、このように発射されるパチンコ球を保持することは、発射の際のパチンコ球の位置精度を向上でき、安定した遊技球の発射が可能となることから好ましいが、本発明はこれに限定されるものではなく、これら保持を実施しない構成としても良い。
【００６６】
また、前記リフト用カム５０１ａの形状は、前記発射位置の遠方領域において前記球リフトアーム５０２の揺動下端の移動速度が大きくなるように、その外径が大きく増加するとともに、前記発射位置の近傍において、球リフトアーム５０２の揺動下端の移動速度が低速となることで誘導されるパチンコ球の誘導速度が低速となるように、その外径が微増するような形状となっており、このように発射位置の近傍においてパチンコ球の誘導速度が低速となるようにすることは、誘導中におけるパチンコ球のブレ（振動）を低減できることにより安定した発射強度を得ることができることから好ましいが、本発明はこれに限定されるものではなく、これら低速誘導を実施しない構成としても良い。
【００６７】
更に、本実施例では前記低速誘導を前記リフト用カム５０１ａの形状により実施しており、このようにすることは、例えばこれらの低速誘導をカム駆動モータ５１１の回転速度制御等にて実施する場合に比較して、滑らかな低速誘導が可能となるばかりか、回転速度の加減速が繰り返されることを回避できることで、カム駆動モータ５１１の損耗も低減できることから好ましいが、本発明はこれに限定されるものではなく、これらの低速誘導をカム駆動モータ５１１の回転速度制御にて実施するようにしても良い。
【００６８】
次いで、発射レール５０８上の所定の発射位置へ誘導されたパチンコ球は、図１０（ｃ）に示すように、発射用カム５０１ｂの回動に伴い、前記発射用スプリング５０４に抗する力が解除されることで、該発射用スプリング５０４による付勢力に比例する勢いにて、発射アーム５０３が図中の矢印方向に揺動することで、発射レール５０８上の発射路５０９を通じて遊技領域２０７へ打ち出される。
【００６９】
この際、図１１（ａ）に示すように、発射の勢いが弱く、遊技領域２０７に達しなかったパチンコ球は、図１１（ｂ）のように、前記発射レール５０８上を傾斜下方側へ流下してくるが、発射後のカム５０１の回動に伴って、前記球リフトアーム５０２と発射アーム５０３の双方が、図１１（ｃ）に示すように双方のスプリング５０４、５０６に抗して揺動を開始することで、それまで球リフトアーム５０２の下端部に摺接することで前記ファール球流路２９５のファール球流出口１０７を塞いでいたファール球通路弁５０７が、摺接の解除に伴って、図示しないスプリングにより起立状態に戻ることでファール球流出口１０７が開状態となり、前記発射レール５０８上を流下してきたファール球がファール球流路２９５内へ流入され、該ファール球流路２９５の下端に形成されているファール球流出口２８８、賞球通路２７３を通じて打球供給皿２０３或いは余剰球受皿２０４に返却される。
【００７０】
次に、図２に基づいて、遊技盤２０６及び該遊技盤２０６ａの前面に形成された遊技領域２０７の説明をすると、遊技領域２０７の中央上部付近には、「特別図柄」と呼ばれる複数種類の識別情報可変表示するための可変表示部２０９と、「普通図柄」と呼ばれる個別図柄が、交互点灯される表示器２１０とを含む可変表示装置２０８が設けられている。尚、本実施例では、可変表示部２０９はＬＣＤ表示器（液晶表示器）にて形成されていて、特別図柄を可変表示可能とされている。具体的に、可変表示部２０９の表示エリアにおいては、縦横方向に並ぶ態様で９つの可変表示エリアを表示上形成し、それらのエリアにおいて、各エリアに共通の複数図柄が個々に独立して可変表示される。
【００７１】
また、表示器２１０は、左右２つのＬＥＤを有し、可変表示部２０９に表示される特別図柄は、打球が始動入賞口（図示略）へ始動入賞することに基づいて可変開始される。一方、可変表示部２１０に表示される普通図柄は、打球が第１通過ゲート（図示略）を通過することに基づいて可変開始される。
【００７２】
可変表示部２０９の下部には、前記始動入賞口（図示略）に入賞した始動入賞球数を記憶して表示する４個の表示部（ＬＥＤ）を有する始動入賞記憶表示器２１８が設けられている。本実施例では、４個を上限として、始動入賞が記憶される毎に、始動入賞記憶表示器２１８のＬＥＤが１つ追加して点灯する。そして、可変表示部２０９において特別図柄の可変表示が開始される毎に、ＬＥＤが１つ滅灯するようになっている。
【００７３】
また、図１に示すように、遊技領域２０７の外側の左右上部には、効果音を発する２つのスピーカ２２７が設けられているとともに、遊技領域２０７の外周には、遊技効果ＬＥＤ２２８ａおよび遊技効果ランプ２２８ｂ、２２８ｃが設けられている。そして、一方のスピーカ２２７の近傍には、賞球払出時に点灯する賞球ランプ２５１が設けられ、他方のスピーカ２２７の近傍には、補給球が切れたときに点灯する球切れランプ２５２が設けられている。
【００７４】
また、図２に示すように、前記始動入賞記憶表示器２１８の下方には、遊技領域２０７に発射されたパチンコ球を受け入れ可能な入賞口が複数設けられており、これら入賞口に入賞した球に応じて、賞球の付与が行われるようになっている。
【００７５】
つづいて、パチンコ機２の背面の構造を図１２に基づいて説明する。パチンコ機２の遊技盤２０６の後面側には、前記前面扉枠２００に回動自在に枢支された機構板２３６が設けられている。機構板２３６には、可変表示部２０９の表示制御を行う表示制御基板２８０、遊技制御用マイクロコンピュータ等が搭載された遊技制御基板２３１、パチンコ球の払出制御を行う払出制御用マイクロコンピュータ等が搭載された賞球制御基板２３７が設置されている（図１５参照）。さらに、揚送ユニット４００並びに発射装置５００の動作制御を行うマイクロコンピュータ等が搭載された発射揚送制御基板２９１と、図１に示されるようにガラス扉枠２０２に設けられる遊技効果ＬＥＤ２２８ａ、遊技効果ランプ２２８ｂ、２２８ｃに信号を送るためのランプ制御基板２３５と、スピーカ２２７から出力する音声制御を行うマイクロコンピュータ等が搭載された音声制御基板２７０（図１５参照）と、が設けられている。
【００７６】
また、余剰球受皿２０４の満タンを検出するために前記余剰球受皿２０４への流下経路に設けられる満タンスイッチ２１３や、球払出装置２９７の上流部に設けられて球切れを検出するための球切れスイッチ２３３や、賞球用カウントスイッチ２４８ａ、貸出球カウントスイッチ２４８ｂ等の各種スイッチ（図１５参照）からの信号を前記遊技制御基板２３１に中継するための枠用スイッチ中継基板が設けられている。
【００７７】
この機構板２３６の上部には球タンク２３８が設けられており、前記遊技島の前記供給樋より導出された供給管（図示略）よりパチンコ球が前記球タンクに供給される。球タンク内のパチンコ球は誘導樋２３９を通って球払出装置２９７に供給される。
【００７８】
また、機構板２３６には、球タンク２３８に補給されたパチンコ球を、入賞の発生等により付与された賞球の払出や貸球の払出を行う球払出装置２９７（図１５参照）に導く賞球供給通路や、球タンク内に貯留されるパチンコ球を遊技島のアウト球タンクに排出するアウト球通路や、球払出装置２９７から払い出されたパチンコ球を打球供給皿２０３に連通する上皿連通口２７４（図２参照）に導く賞球通路や、該賞球通路内を流下して前記上皿連通口２７４から流出されなかった余剰球を、ガラス扉枠２０２の下方に設けられている余剰球受皿２０４導く余剰球通路等が形成されている。
【００７９】
更に、本実施例では、前記賞球通路の経路中に、前記ファール球流路２９５の下端部に繋がるファール球流出口２８８が形成されており、該ファール球流出口２８８から流入してきたファール球は、賞球通路を流下して打球供給皿２０３或いは余剰球受皿２０４に返却されるようになっている。
【００８０】
そこで、機構板２３６の内面側の構成について説明すると、図１２に示されるように、入賞球を誘導する入賞球誘導通路２７６や、アウト球を誘導するアウト球通路２７７とが形成されている。入賞球誘導通路２７６の上方は、入賞球落下入口２７８となっており、前記遊技盤２０６の後面２０６ｂを覆うように形成された入賞球誘導カバー体（図示略）にて収集されて放出される入賞球を受け入れるようになっており、その受け入れた入賞球を入賞球誘導通路２７６が一側方に向かって誘導し、入賞球をパチンコ機２の外部に誘導する排出通路等が設けられており、アウト球通路２７７は、前記入賞球落下入口２７８の側方に形成される凹部２８１の下方に入賞球誘導通路２７６と上下方向に重複するように形成され、その流下端の機構板２３６の主体に連通口２８２が開設されて前記合流排出通路（図示略）に連通するようになっている。
【００８１】
なお、前記機構板２３６の内面側には、内部に複数の電圧の異なる電源を生成する電源ユニット基板が設けられている。電源ユニット基板は、電源線が接続される電源コネクタが実装されている。電源線によって供給される電圧はＡＣ２４Ｖの電圧であり、電源ユニット基板（電源生成基板）で生成される複数の電圧は、ＤＣ３０Ｖ、ＤＣ２１Ｖ、ＤＣ１２Ｖ、ＤＣ５Ｖの４種類である。（但し、他の基板に対してＡＣ２４Ｖも供給する。）
【００８２】
また、電源ユニット基板は、遊技制御基板２３１及び賞球制御基板２３７の各ＣＰＵに駆動電源が供給されていない間、各基板に設けられているＲＡＭの記憶内容をバックアップ（保持）するために各基板にバックアップ電源を供給するようになっている。なお、電源ユニット基板（電源生成基板）から電源断信号が出力されることによって遊技制御基板２３１及び賞球制御基板２３７は、バックアップをするための処理を行うようになっている。
【００８３】
上記した電源ユニットボックス２７２の背面側には、遊技動作を制御する遊技制御基板２３１を収容する遊技制御基板ボックス２３２が着脱自在に取り付けられるようになっている。その取付は、機構板２３６の開口窓２４０の下辺よりやや上部にブリッジ状に掛け渡される横架突出板２８４に取り付けられるものである。横架突出板２８４は、遊技制御基板ボックス２３２を取り付けたときに、遊技制御基板ボックス２３２の裏面が前記電源ユニットボックス２７２と前記遊技盤２０６の裏面側に取り付けられるランプ制御基板２３５及び音声制御基板２７０を収容する制御基板ボックスに当接しないように重畳的に設けられる高さに設定されており、前記したＬ字状突出板の高さとほぼ同じ高さとなっている。
【００８４】
ここで、本実施例のパチンコ機２の遊技制御基板２３１における回路構成の一例を図１５に基づいて説明すると、遊技制御基板２３１は、プログラムに従ってパチンコ機２を制御する基本回路２５３と、前記遊技領域２０７に発射されたパチンコ球が前記始動入賞記憶表示器２１８の下方に複数設けられた入賞口（図２参照）に入賞した際に該パチンコ球の検出を行うための各種スイッチ（入賞球検出スイッチ、Ｖ球検出スイッチ、ゲートスイッチ、始動入賞口スイッチ、Ｖカウントスイッチ、カウントスイッチ、入賞球検出スイッチ）、これら入賞口に設けられた可動片（図示略）の開閉を行うためのソレノイド、該ソレノイドの駆動を行う駆動モータ、該ソレノイドと駆動モータを基本回路２５３からの指令に従って駆動するモータ・ソレノイド回路、満タンスイッチ２１３（余剰球受皿２０４の満タンを検出する満タンスイッチ２１３）、球切れスイッチ２３３、賞球用カウントスイッチ２４８ａ、貸出球カウントスイッチ２４８ｂからの信号を基本回路２５３に与えるスイッチ回路２５８と、始動入賞記憶表示器２１８の点灯および点滅を行うとともに、表示器２１０と装飾ランプ２２５とを駆動するランプ・ＬＥＤ回路２６０とを含む。
【００８５】
また、遊技制御基板２３１は、基本回路２５３から与えられるデータに従って、大当りの発生を示す大当り情報、可変表示装置２０８の可変表示に利用された始動入賞球の個数を示す始動情報、確率変動が生じたことを示す確変情報等を外部の管理コンピュータ等に対して出力する第１情報出力回路２６４を含む。
【００８６】
基本回路２５３は、ＲＯＭ２５４、ＲＡＭ２５５、ＣＰＵ２５６、Ｉ／Ｏポート２５７、および、クロック発生部２５０を含む。ＲＯＭ２５４は、ゲーム制御用のプログラム等の各種の情報（データ）を記憶するためのものである。ＲＡＭ２５５は、ワークメモリとして使用されるためのものである。ＣＰＵ２５６は、ゲーム制御用のプログラム等の各種の制御用プログラムに従って遊技制御動作等の制御動作を行う。Ｉ／Ｏポート２５７は、データおよび信号等の各種情報の入出力用に設けられた複数のポートを有する。クロック発生部２５０は、基本回路２５３が動作する場合の基準タイミングとなる動作クロックをＣＰＵ２５６等の基本回路２５３内の各部に与えるものである。
【００８７】
さらに、遊技制御基板２３１には、電源投入時に基本回路２５３をリセットするための初期リセット回路２６６と、電源投入後に基本回路２５３を定期的にリセットするための定期リセット回路２６５と、基本回路２５３から与えられるアドレス信号をデコードしてＩ／Ｏポート２５７のうちのいずれかのＩ／Ｏポートを選択するための信号を出力するアドレスデコード回路２６７とが設けられている。
【００８８】
基本回路２５３は、電源投入時において、初期リセット回路２６６により初期リセットされる。また、電源投入後、基本回路２５３は、定期リセット回路２６５により定期的（例えば、２ｍｓ毎）にリセットされ、割込み処理が実行される。これにより、割込み処理が実行される毎に、ゲーム制御用のプログラムが所定位置から再度実行される。
【００８９】
また、図１５に示すように、遊技制御基板２３１から表示制御基板２８０には、可変表示装置２０８の可変表示部２０９の表示制御に関する指令情報として、表示制御コマンドデータと、ストローブ信号としての割込信号（以下、表示制御信号ＩＮＴともいう）とが伝送される。表示制御基板２８０側では、表示制御コマンドデータＣＤの指令内容にしたがって、可変表示部２０９の表示制御を行う。
【００９０】
遊技制御基板２３１からランプ制御基板２３５には、ランプ制御基板２３５により制御が行われる遊技効果ＬＥＤ２２８ａ、賞球ランプ２５１、球切れランプ２５２、および、遊技効果ランプ２２８ｂ、２２８ｃの制御に関する指令情報としてのランプ制御信号等の情報が伝送される。
【００９１】
遊技制御基板２３１から音声制御基板２７０には、音声制御基板２７０によりスピーカ２２７から出力される効果音等の音声の制御に関する指令情報としての音声制御用コマンドデータ等の情報が伝送される。この音声制御用コマンドデータに応じて、音声制御基板２７０内に設けられた音声制御用のマイクロコンピュータは、スピーカ２２７からの効果音の発生等の音声制御を行う。
【００９２】
また、基本回路２５３は、遊技領域２０７に発射されたパチンコ球の入賞球に関わる各種検出信号に基づいて、所定個数の賞球を払出すための賞球信号を賞球制御基板２３７に出力する。賞球制御基板２３７では、その出力されてきた賞球信号に基づいて球払出装置２９７を制御して所定個数の賞球を払出すための制御を行う。
【００９３】
また、満タンスイッチ２１３からの検出信号が満タン状態を示している場合には、その状況に応じて、賞球禁止指令信号を賞球制御基板２３７へ送り、球払出装置２９７による賞球の払出を停止させる。
【００９４】
また、賞球制御基板２３７上には、第２情報出力回路部２６８が設けられており、これら賞球制御基板２３７において制御される賞球の払い出し数の情報等を外部出力できるようになっている。
【００９５】
また、賞球制御基板２３７は、前記カードユニット３のカードユニット制御基板（図示略）に接続されており、貸出完了信号（ＥＸＳ）やパチンコ機レディー信号（ＰＲＤＹ）が前記カードユニット３に設けられたマイクロプロセッシングユニット（ＭＰＵ）に出力されるようになっているとともに、前記カードユニット３のＭＰＵより出力される後述のカードユニットレディー信号（ＢＲＤＹ）や貸出要求完了確認信号（ＢＲＱ）が入力されるようになっている。
【００９６】
カードユニット３の前面には、図１に示すように、点灯によりカードユニット３の動作を報知する動作ランプ３０１と、プリペイドカードが使用可能状態であるか否かを表示する使用可能表示器３０２と、当該カードユニット３がいずれの側のパチンコ機２に対応しているか否かを表示するための連結台方向表示器３０３と、プリペイドカードを挿入可能とされたカード挿入口３１４と、が設けられている。
【００９７】
このカードユニット３は、前記カード挿入口３１４に挿入されるプリペイドカードに記録されている後述の識別情報（ＩＤ）や遊技用価値である度数の読み出し並びに遊技により更新された新たな度数の書き込み等を行うカードリーダライタ（図示略）と、前記挿入されたプリペイドカードから読み出しおよび書き込まれる度数等を記憶するとともに、ＭＰＵが実行する制御内容等が記述された制御プログラム等を記憶する記憶部（図示略）と、前記賞球制御基板２３７等との各種信号の入出力が行われるＩ／Ｏポートと、通信ケーブルを介して図示しない管理コンピュータとのデータ通信を行うための通信部（図示略）と、これら各部並びに前記度数表示部の表示制御や入力検出等を行うＭＰＵ（図示略）と、を具備している。
【００９８】
また、これら各カードユニット３は、前述のように、図示しない管理コンピュータに接続されており、前記プリペイドカードが挿入された場合や、該挿入されているプリペイドカードから読み出され記憶部に記憶されている度数に変更が加えられた場合や、該挿入されているプリペイドカードの返却処理並びに回収処理等が行われた場合に、該プリペイドカードに記録された後述の識別情報（ＩＤ）や度数データ、変更された新たな度数データ等が前記管理コンピュータに出力されるようになっている。
【００９９】
前記カード挿入口３１４に挿入されるプリペイドカードには、個々のプリペイドカードを識別可能な識別情報（ＩＤ）が付与、記録されているとともに、前記管理コンピュータにおいてこれらプリペイドカードのＩＤと、該当するプリペイドカードが該当する度数とが対応付けて登録されており、前記プリペイドカードに記録された識別情報（ＩＤ）に基づいて、該プリペイドカードにより使用可能な度数が、前記管理コンピュータにて特定され、該カードユニット３に通知されて記憶部に記憶されることで、該記憶された度数に基づき前記パチンコ機２の遊技に使用されるパチンコ球の貸出を行う貸出処理が実施可能とされている。
【０１００】
このようにカードユニット３のＭＰＵからＢＲＱが出力される回数に基づき、前記賞球基板２３７は１度分に該当する数量（２５球）のパチンコ球の貸出を実施するようになっており、このようにして貸出されたパチンコ球を使用して遊技者はパチンコ機２における遊技を実施できるようになっている。
【０１０１】
また、基本回路２５３には、揚送装置４００並びに発射装置５００が連動して動作するように動作制御を行う発射揚送制御基板２９１が接続されており、前記球切れスイッチ２３３による球切れの検知や満タンスイッチ２１３による満タン検出が無い場合に発射許諾信号が出力されることで、発射並びに揚送が許諾されるようになっている。
【０１０２】
この発射揚送制御基板２９１を、図１６に示す機能ブロック図に基づいて詳述すると、該発射揚送制御基板２９１には、操作ノブ２０５の操作に基づいて出力される発射指示信号の検出を行う発射指示信号検出部２９２ａと、この操作ノブ２０５の操作量に従って、出力される発射強度指示信号の検出を行う発射強度信号検出部２９２ｂが設けられている。
【０１０３】
また、発射揚送制御基板２９１には、発射指示信号検出部２９２ａの発射指示信号の検出に基づいて、揚送モータ４１０と発射モータ５１１の駆動／非駆動の制御を行う揚送制御手段２９３と、発射強度信号検出部２９２ｂの発射強度信号の検出に基づいて、発射強度調整モータ５１２に回動位置の制御により発射装置５００から発射されるパチンコ球の発射強度の制御を行う揚送制御手段２９４が設けられている。
【０１０４】
具体的には、操作ノブ２０５の操作が行われると、発射指示信号検出部２９２ａが発射指示信号の検出を行い、該検出に基づいて揚送制御手段２９３が発射モータ５１１と揚送モータ４１０の駆動／非駆動（停止）の制御を行うことにより、該発射装置５００に打球を供給する揚送ユニット４００が前記打球発射装置５００における１つのパチンコ球の発射とともに１つのパチンコ球を間歇的に揚送するように制御される。
【０１０５】
この際、前記操作ノブ２０５により連続した発射操作が為されている場合には、前記揚送ユニット４００の揚送モータ４１０は、連続するパチンコ球の揚送において、回転速度を変化させることなく、ほぼ同一の回転速度にて、球供給スプロケット４１３から、発射装置５００における１個のパチンコ球の発射毎に間歇的に供給されるパチンコ球を揚送するようになっており、このようにすることは、連続するパチンコ球の揚送において、揚送モータ４１０の回転速度を変化させて発射装置５００へのパチンコ球の供給同期を計る場合に比較して、加減速に伴う揚送モータ４１０の損耗を低減できるとともに、揚送球が球通路部４０４内にて踊ることによる不都合や該揚送球が踊ることによる騒音の発生を解消できることから好ましいが、本発明はこれに限定されるものではなく、回転速度を変化させて打球発射装置５００への供給同期を計るようにしても良い。
【０１０６】
そして、発射装置５００による発射球の発射勢いは、前記操作ノブ２０５の操作量に基づいて出力される発射強度信号を発射強度信号検出部２９２ｂが検出し、前記発射強度制御手段２９４が発射装置５００内部に設けられている発射強度調整モータ５１２の動作（回転数）を前記操作ノブ２０５の操作量に応じて制御を行うことで、前記発射用スプリング５０４の付勢力が調節される。すなわち、発射強度制御手段２９４によって、操作ノブ２０５の操作量に応じた速度で打球が発射されるように制御される。
【０１０７】
次に、図１７のタイミングチャートを用いて、前記発射揚送制御基板２９１の揚送制御手段による発射装置５００における発射と揚送ユニット４００における揚送の連動状況について説明すると、本実施例では、パチンコ球が前記揚送ユニット４００の揚送取込位置である球収容部４１４へのパチンコ球の取込から前記発射装置５００に揚送される揚送時間を、図１７に示すように、発射装置５００における発射間隔の２分の１の時間である０．３秒とし、前記発射装置５００におけるパチンコ球の発射を契機として前記揚送ユニット４００の揚送取込位置である球供給スプロケット４１３の球収容部４１４へのパチンコ球の取込を実施して揚送を開始することで、発射装置５００におけるパチンコ球の発射が完了してから約０．３秒後に新たなパチンコ球が発射装置５００に供給される。
【０１０８】
このように、発射装置５００におけるパチンコ球の発射が完了してから約０．３秒後に新たなパチンコ球を発射装置５００に揚送することで、該揚送された新たなパチンコ球が発射装置５００にて発射されるまでの間に、約０．３秒の待機時間を設けるようになっており、このようにすることで該揚送されたパチンコ球の揚送等による揺れ等の微動を沈静化して、安定した発射強度が得られるようになっている。
【０１０９】
そして、該待機時間が過ぎた新たに揚送されたパチンコ球は、発射装置５００にて遊技領域２０７に向けて発射されるとともに、該発射を契機として、また新たなパチンコ球が揚送ユニット４００に取り込まれて揚送されるサイクルが繰返し実施されることで、発射装置５００における１つのパチンコ球の発射に伴って、１つのパチンコ球が揚送ユニット４００に取り込まれて揚送されるようになり、よって、揚送ユニット４００内部には最大でも１つのパチンコ球しか残存しないようになっている。
【０１１０】
具体的に、揚送制御手段による発射装置５００における発射と揚送ユニット４００における揚送の連動の制御について図１８のタイミングチャートを用いて説明すると、まず、遊技者によって操作ノブ２０５の操作が行われると、該操作ノブ２０５から発射指示信号検出部２９２ａに対して発射指示信号が出力「ＯＮ」され、該発射指示信号検出部２９２ａによって前記発射指示信号の検出が行われることで、発射揚送制御基板２９１の前記揚送制御手段は発射装置５００と揚送ユニット４００の駆動制御を開始する。
【０１１１】
この発射指示信号の「ＯＮ」検出に基づいて前記揚送制御手段が、前記揚送スクリュー４０３を回動させる揚送モータ４１０の駆動を開始して、前記球供給スプロケット４１３を回動させることで、揚送取込位置である球収容部４１４にパチンコ球が１個取り込まれるとともに、揚送スクリュー４０３の回動により、該取り込まれたパチンコ球が揚送通路内を揚送されることで、パチンコ球が発射装置５００まで約０．３秒にて揚送され、該揚送されたパチンコ球が、該パチンコ球の前記球収容部４１４への取り込み時点から約０．６秒後において、記発射装置の発射モータ５１１が前記揚送制御手段２９３によって駆動制御されることで、前記発射アーム５０３の発射が行われることにより、前記揚送されたパチンコ球の弾球（発射）が行われることで、発射装置５００と揚送ユニット４００の連動による１サイクルが終了し、該サイクルが、遊技者が操作ノブ２０５の操作を開始してから、前記操作ノブ２０５から手を離し操作を終了するまで繰り返し行われることで、発射装置５００における１つのパチンコ球の発射に伴って、１つのパチンコ球が揚送ユニット４００に取り込まれて揚送される。
【０１１２】
そして、前記操作ノブ２０５の操作量に基づいて出力される発射強度信号を発射強度信号検出部２９２ｂが検出し、前記発射強度制御手段２９４が発射強度調整モータ５１２の動作（回転量）を、該発射強度信号検出部２９２ｂにて検出した発射強度信号に基づいて制御することで、前記操作ノブ２０５の操作量に応じた前記発射用スプリング５０４の付勢力の調節が実施され、パチンコ球の発射強度の調整が行われる。
【０１１３】
また、遊技者が前記操作ノブ２０５から手を離し操作の終了を行う、または前記操作ノブ近傍に設けられたストップボタン（図示略）の押操作により、該操作ノブ２０５の操作を一時的に停止させると、前記操作ノブ２０５から発射指示信号検出部２９２ａに対して出力される発射指示信号が「ＯＦＦ」状態となり、該発射指示信号検出部２９２ａによって前記発射指示信号の検出が行われなくなるが、前記発射揚送制御基板２９１の揚送制御手段は、その時点において実施中のサイクルを継続するように揚送モータ４１０の駆動を継続し、該サイクルにて揚送されたパチンコ球を前記発射装置５００から発射する制御を実施した後、揚送ユニット４００（揚送モータ４１０）と発射装置５００（発射モータ５１１）の動作を停止する遅延停止制御を実施する。
【０１１４】
このように、揚送制御手段が遅延停止制御を実施することは、揚送ユニット４００内に１つのパチンコ球も残らなくなり、よって、これら揚送ユニット４００内に残る１つのパチンコ球の球抜き機構や返却機構を設ける必要が無くなることから、遊技機のコストを低減できることから好ましいが、本発明はこれに限定されるものではなく、これらの遅延停止制御を実施せずに、発射指示信号が「ＯＦＦ」状態となった段階において、迅速に揚送ユニット４００の揚送を停止するようにしても良い。
【０１１５】
次に、例えば遊技者が遊技を終了するために、打球供給皿２０３に貯留されているパチンコ球や、傾斜誘導樋２８３、クランク流路４１６及び連結流路４１５のパチンコ球の返却を要求するための操作ボタン２９６の押圧操作が行われ場合（図８参照）における各種の作用を図９に基づいて説明すると、まずスライド板４２３が後退して待機球返却部４２０の開口部４２１が開放されてクランク流路４１６内が待機球返却通路２４２に連通し、クランク流路４１６まで流下してきたパチンコ球が待機球返却通路２４２に流出するとともに、スライド板４２３、４２５がそれぞれ後退して、待機球返却部４２０の開口部４２１が開放されてクランク流路４１６内が待機球返却通路２４２に連通し、クランク流路４１６まで流下してきたパチンコ球が待機球返却通路２４２に流出するとともに、スライド板４２３に連動してスライド板４２５が後退して、揚送球返却部４５０の開口部４５１が開放されて連結流路４１５内が揚送球返却通路４５４に連通し、連結流路４１５内のパチンコ球が揚送球返却部４５０の開口部４５１に向けて移動、すなわち、揚送路ケース４０２の球通路部４０４（揚送通路）内を下降することになり（図９Ｄ−Ｄ断面図参照）、開口部４５１から返却通路としての揚送球返却通路４５４、待機球返却通路２４２を流下して余剰球供給皿２０３に返却されことになるため、揚送ユニット４００内に残存したパチンコ球を遊技者に返却することが出来る。
【０１１６】
また、揚送球返却部４５０の開口部４５１が、通常の揚送時においてパチンコ球を揚送ユニット４００まで誘導する揚送球誘導通路の一部を構成する連結流路４１５に形成されていることで、揚送路ケース４０２内に残存するパチンコ球を、揚送通路としての球通路部４０４及び揚送球誘導通路としての連結流路４１５内を移動させることで前記開口部４０４まで導くことができ、揚送球返却部４５０まで導くための通路を新たに設ける必要がないため、揚送ユニット４００の構造の複雑化を回避出来るばかりか、操作ボタン２９６の操作に連動して、通路切替手段としてのスライド板４５２によりパチンコ球の移動通路が揚送球返却通路４５４側に切替るため、パチンコ球を確実に揚送球返却通路４５４に導くことが出来る。
【０１１７】
また、本実施例においては、操作ボタン２９６の操作に応じて待機球返却部４２０と揚送球返却部４５０とからパチンコ球が同時に返却されるようになっていたが、本発明はこれに限定されるものではなく、待機球返却部４２０の開口部４２２を開閉させるスライド板４２３と、揚送球返却部４５０の開口部４５１を開閉するスライド板４５２と、を操作する操作部をそれぞれ別々にしても良い。
【０１１８】
以上、本実施例のパチンコ機（遊技機）によれば、発射装置５００が１個のパチンコ球（遊技球）を発射した後、次のパチンコ球を発射するまでの発射サイクル（発射間隔時間）未満において、前記揚送ユニット４００が揚送取込位置から発射装置まで１個の遊技球の揚送できるようになることから、発射装置５００の弾球（発射動作）に連動して揚送するパチンコ球の数を１個となるように制御する前記発射揚送制御基板２９１を備えることで、揚送ユニット４００内にはパチンコ球が残存することがないため、従来の様に多数のパチンコ球を遊技客に返却する複雑な球抜き機構を設ける必要がなく、球抜きの手間を解消できる。
【０１１９】
前記実施例における各要素は、本発明に対して以下のように対応している。
本発明の請求項１は、遊技に使用するための遊技球（パチンコ球）を貯留するための打球貯留部（打球供給皿２０３）と、遊技機（パチンコ機２）の上部側方位置に設けられ、遊技球（パチンコ球）を遊技盤上（遊技盤２０６）に形成された遊技領域（遊技領域２０７）内に一定間隔で発射するように制御された発射装置（発射装置５００）と、該発射装置（発射装置５００）が１個の遊技球（パチンコ球）を発射するたびに前記打球貯留部（打球供給皿２０３）の１個の遊技球（パチンコ球）を発射装置（発射装置５００）に揚送する揚送装置（揚送ユニット４００）を備える遊技機（パチンコ機２）において、前記発射装置（発射装置５００）の発射間隔（発射サイクル）未満で、前記揚送装置（揚送ユニット４００）に前記打球貯留部（打球供給皿２０３）からの遊技球（パチンコ球）を取り込む揚送取込位置（球収容部４１４）から、前記発射装置（発射装置５００）に１個の遊技球（パチンコ球）を揚送させるとともに、前記発射装置（発射装置５００）が１個の遊技球（パチンコ球）を発射するたびに前記揚送取込位置（球収容部４１４）から取り込んだ１個の遊技球（パチンコ球）を前記発射装置（発射装置５００）に揚送するように前記揚送装置（揚送ユニット４００）を制御する揚送制御手段（発射揚送制御基板２９１）を備える。
【０１２０】
本発明の請求項２の前記揚送制御手段（発射揚送制御基板２９１）は、遊技者が前記発射装置（発射装置５００）に遊技球（パチンコ球）の発射指示を行うために操作する発射ハンドル（操作ノブ２０５）から、該発射ハンドル（操作ノブ２０５）の操作に基づいて出力される発射指示信号を検出するための発射指示信号検出部（発射指示信号検出部２９２ａ）を含むとともに、前記揚送装置（揚送ユニット４００）が遊技球の揚送途中に前記発射指示信号検出部（発射指示信号検出部２９２ａ）における発射指示信号の検出が無くなったときに、前記揚送途中の遊技球（パチンコ球）を前記発射装置（発射装置５００）に揚送した後に揚送を停止する遅延停止制御を行う。
【０１２１】
本発明の請求項３の前記揚送制御手段（発射揚送制御基板２９１）は、前記揚送装置（揚送ユニット４００）が揚送開始位置から揚送終了位置まで１つの遊技球（パチンコ球）の揚送に要する時間（揚送時間）を、前記発射装置（発射装置５００）における発射間隔時間（発射サイクル）の１／２以下とするように制御する。
【０１２２】
以上、本発明の実施形態を図面により前記実施例にて説明してきたが、本発明はこれら各実施例に限定されるものではなく、本発明の主旨を逸脱しない範囲における変更や追加があっても本発明に含まれることは言うまでもない。
【０１２３】
例えば、前記実施例の前記発射揚送制御基板２９１は、前記揚送ユニット４００が揚送取込位置から発射装置まで１個のパチンコ球の揚送に要する揚送時間を、前記発射装置５００における発射サイクル（前記実施例では０．６秒）の１／２以下（前記実施例では０．３秒）とするように制御することから、揚送されたパチンコ球が発射されるまでの待機時間として、発射サイクルの１／２に近い時間、或いはそれよりも長い時間を確保できるようになることから、揚送されたパチンコ球の揚送による揺れ等の微動が沈静化した状態にて発射できるようになり、安定した発射状態を得ることができることから好ましいが、本発明はこれに限定されるものではなく、パチンコ球の揚送に要する揚送時間を、図１９（ｂ）に示すように、前記発射装置５００における発射サイクルの１／２以上である０．４秒としても良く、この場合には、前記揚送スクリュー４０３のリード角や揚送スクリュー４０３の回転数、並びに球負荷や回転に必要なトルクに関しては、図１４（ａ）の表にある数値に基づいて、適宜にリード角や揚送スクリュー４０３の回転数等を選定すれば良い。
【０１２４】
また、前記実施例では揚送時間を発射サイクルである０．６秒の１／２である約０．３秒としているが、本発明はこれに限定されるものではなく、揚送したパチンコ球の微動を除去するための待機時間を長く得たい場合においては、図１９（ａ）に示すように、揚送時間を約０．２秒にして、待機時間を長くするようにしても良く、この場合には、前記揚送スクリュー４０３のリード角や揚送スクリュー４０３の回転数、並びに球負荷や回転に必要なトルクに関しては、図１４（ｃ）の表にある数値に基づいて、適宜にリード角や揚送スクリュー４０３の回転数等を選定すれば良い。
【０１２５】
【発明の効果】
本発明は次の効果を奏する。
（ａ）請求項１の発明によれば、発射装置が１個の遊技球を発射した後、次の遊技球を発射するまでの発射間隔時間内において、前記揚送装置が揚送取込位置から発射装置まで１個の遊技球の揚送できるようになるとともに、発射装置が遊技球を発射するたびに、揚送装置が揚送する遊技球の数を１個となるように制御する前記揚送制御手段を備えることで、揚送装置内には遊技球が残存することがないか、或いは残存しても１遊技球のみに留めることができるようになるため、従来の様に多数の遊技球を遊技客に返却する複雑な球抜き機構を設ける必要がなく、仮に揚送装置内の球抜きを行う必要のある場合には、最大１個の遊技球の球抜きを行えば良いので球抜きの手間を最小限に抑えることができる。
【０１２６】
（ｂ）請求項２の発明によれば、前記揚送装置内には球が残らないので、該揚送装置内の球抜き機構は必要とせず、低コストとなる。
【０１２７】
（ｃ）請求項３の発明によれば、揚送された遊技球が発射されるまでの時間として、発射間隔時間の１／２に近い時間、或いはそれよりも長い時間を確保できるようになることから、揚送された遊技球の揚送による揺れ等の微動が沈静化した状態にて発射できるようになり、安定した発射状態を得ることができる。
【図面の簡単な説明】
【図１】本発明の実施例としての弾球遊技機並びにカードユニットを示す正面図である。
【図２】図１の弾球遊技機におけるガラス扉枠の開放状態を示す図である。
【図３】図２のＡ−Ａ断面図である。
【図４】図２のＢ−Ｂ断面図である。
【図５】揚送装置及び発射装置を示す縦断面図である。
【図６】揚送装置の下部構造を示す透視斜視図である。
【図７】（ａ）、（ｂ）、（ｃ）、（ｄ）は揚送装置へのパチンコ球の供給状況の説明図である。
【図８】（ａ）は待機球返却時における待機球返却部の遊技球の流れを示す図であり、（ｂ）は通常時における待機球返却部の遊技球の流れを示す図である。
【図９】球抜き操作による遊技球の返却経路を示す縦断面図である。
【図１０】（ａ）〜（ｃ）は、発射装置における発射状況を示す図である。
【図１１】（ａ）〜（ｃ）は、発射装置におけるファール球の取込状況を示す図である。
【図１２】図１の弾球遊技機の構造を示す分解斜視図である。
【図１３】揚送スクリューの要部を示す拡大図である。
【図１４】（ａ）は揚送時間０．４秒時のリード角β、ラジアン、巻き長さ、リードＬ、摩擦、球負荷Ｆ、トルクＴ、回転数を示す表図であり、（ｂ）は揚送時間０．３秒時の表図であり、（ｃ）は揚送時間０．２秒時の表図である。
【図１５】本発明の実施例における弾球遊技機の構成を示すブロック図である。
【図１６】本実施例における発射揚送制御基板の機能を示す機能ブロック図である。
【図１７】発射と揚送の連動を示すタイミングチャートである。
【図１８】発射指示信号における発射と揚送の連動を示すタイミングチャートである。
【図１９】（ａ）は図１７の第１変形例を示すタイミングチャートであり、（ｂ）は第２変形例を示すタイミングチャートである。
【符号の説明】
２        パチンコ機（遊技機）
２０３    打球供給皿（上皿）
２０４    余剰球受皿（下皿）
２０５    操作ノブ
２０６    遊技盤
２０７    遊技領域
２９１    発射揚送制御基板
２９２ａ  発射指示信号検出部
４００    揚送ユニット
４１４    球収容部
５００    発射装置
【図１】
2004255000.tif 000003
【図２】
2004255000.tif 000004
【図３】
2004255000.tif 000005
【図４】
2004255000.tif 000006
【図５】
2004255000.tif 000007
【図６】
2004255000.tif 000008
【図７】
2004255000.tif 000009
【図８】
2004255000.tif 000010
【図９】
2004255000.tif 000011
【図１０】
2004255000.tif 000012
【図１１】
2004255000.tif 000013
【図１２】
2004255000.tif 000014
【図１３】
2004255000.tif 000015
【図１４】
2004255000.tif 000016
【図１５】
2004255000.tif 000017
【図１６】
2004255000.tif 000018
【図１７】
2004255000.tif 000019
【図１８】
2004255000.tif 000020
【図１９】
2004255000.tif 000021